(57)【要約】 【課題】吊り天井の天井材の取り付け、取外しが簡単に行え、且つ吊り天井の天井材が取り付けられた後は天井材が確実に保持され得る吊り天井支持装置及びこれを用いた吊り天井を提供すること。【解決手段】  建物の壁面及び/又は壁面とこれに取り付けられた後板とから成る壁面部分と、当該壁面部分の前方に配意される前板と、前記壁面部と前記前板との間に設置され吊り天井材を保持する押え部材と、押え部材と前板との間に設置され押え部材を弾性力により壁面に押圧するばね部材と、押え部材とばね部材とを前板と壁面部分との間に組み付ける締結部材とからなり、後板の前面には当該前面から前方へ延びる筒状でめねじを有する突起部が設けられ、後板と前板との間には前記押え部材とばね部材とが配置され、且つ前板の前側からねじ部材が挿通されて前記突起部のめねじに螺合され、押え部材とばね部材とが組み付けられる吊り天井支持装置である。【選択図】図１
2018141322.tif 000002
【特許請求の範囲】
【請求項１】
建物の壁面及び/又は壁面とこれに取り付けられた後板とから成る壁面部分と、当該壁面部分の前方に配意される前板と、前記壁面部と前記前板との間に設置され吊り天井材を保持する押え部材と、押え部材と前板との間に設置され押え部材を弾性力により壁面に押圧するばね部材と、押え部材とばね部材とを前板と壁面部分との間に組み付ける締結部材とからなる吊り天井支持装置。
【請求項２】
後板の前面には当該前面から前方へ延びる筒状でめねじを有する突起部が設けられ、後板と前板との間には前記押え部材とばね部材とが配置され、且つ前板の前側からねじ部材が挿通されて前記突起部のめねじに螺合され、押え部材とばね部材とが組み付けられることを特徴とする請求項１記載の吊り天井支持装置。
【請求項３】
押え部材は全体として、幅方向の複数個所で折り曲げ加工されたアングル構造を有し、且つ横長の金属板材料から成り、上端部において略水平方向へ延びる上平面部と、上平面部の前端部において当該上平面部に対して略直角に下方へ延びる立面部と、立面部の下端部において当該立面部に対して略直角に前方へ延びる中間平面部と、中間平面部の前端部において当該中間平面部から後方へ且つ下方へ傾斜して延びる傾斜面部と、傾斜面部の下端部において当該傾斜面部から後方へ略水平に延びる下平面部とを有していることを特徴とする請求項１又は２に記載の吊り天井支持装置。
【請求項４】
押え部材は、その厚さ寸法に関して上側端部から中間平面部の前端までの前行寸法よりも中間平面部の前端から下側端部までの後行寸法の方が小さい寸法に設定され、上側端部と下側端部とを壁面に当接させたとき、その立面部が前傾した姿勢を取るとともに、下側端部の壁面当接部分において壁面には、水平な壁面押し付け方向の外力と鉛直方向上向きの外力が作用することを特徴とする請求項３記載の吊り天井支持装置。
【請求項５】
建物の壁面及び/又は壁面とこれに取り付けられた後板とから成る壁面部分と、当該壁面部分の前方に配意される前板と、前記壁面部と前記前板との間に設置され吊り天井材を保持する押え部材と、押え部材と前板との間に設置され押え部材を弾性力により壁面に押圧するばね部材と、押え部材とばね部材とを前板と壁面部分との間に組み付ける締結部材とからなる吊り天井支持装置；および、
前記押え部材と壁面との間の閉鎖空間に設置された天井材支持棒と、
天井材支持棒の外周に巻き付け固定された天井材と、を備え、
天井材は押え部材の下側端部と壁面との間の隙間を通って部屋空間へ延びていることを特徴とする吊り天井。
【発明の詳細な説明】
【技術分野】
【０００１】
本発明は、吊り天井支持装置及びこれを用いた吊り天井、特に吊り天井の固定強度を大きく確保し得る吊り天井支持装置及びこれを用いた吊り天井に関するものである。
【背景技術】
【０００２】
従来の吊り天井、或いは吊り天井支持装置としては特許文献１や特許文献２に示されたものがある。図９は特許文献１に開示された吊り天井を表すもので、概略構造は吊り天井の一般的な例を示すものである。図９において符号１は建物の部屋空間であり、この部屋空間１の天井部分に吊り天井２が設置される。３は野縁であり、図９内の部屋空間１内では手前位置から奥行方向へ延びて複数本が所定の間隔を空けて配置される。４は野縁受け部材であり、図９内の部屋空間１内では野縁３とは直角の左右方向へ延びて複数本が所定の間隔を空けて配置される。５は吊り部材であり、複数本が躯体天井６と野縁受け部材４との間に接続結合されている。７は天井材であり、野縁３に取り付けられて部屋空間１の略全体に延設され部屋の吊り天井２を構成する。吊り部材５は、例えばボルト部材から成り、吊り天井２が全体として水平を保つようねじ込み量の調節が可能になっている。天井材７には木材、合成樹脂材などから成るパネルが用いられる。また、天井材７には布や紙、さらには樹脂シートのような材料も使用可能である。
【０００３】
図１０は特許文献２に開示された吊り天井の周囲部分を表し、吊り天井の周辺構造の一般的な例を示すものである。図１０に示した吊り天井２及びその周囲部分は、吊り部材５に上下に調節可能に連結した野縁受け部材４と。野縁３を介してビス９により野縁受け部材４に水平に固定した天井材７とにより構成されている。天井材７は当該建造物の左右の側壁８の長さに対応する側端部と同側壁の出隅部にそれぞれ対応する側端部を有している。周囲部分の構造は、左右の側壁８に対向して位置する天井材７の各側端部にその下端部を固定して前後方向（図１０の左右方向）へ傾倒可能に直立する見切材１０と側壁８にその基端部を固定して上下方向へ傾倒可能に張り出し見切材１０の上端との係合により水平に支持される目隠部材１１を備えている。見切材１０は、図１０中天井材７の左右側端部に固定される。これらの各見切材１０は、天井材７の側端部に沿って延在する長さと野縁受け部材４の側端面と天井材７の側端面を被覆する縦幅を有する合成樹脂製（或いはアルミニウム製）の長尺の平板部材である。また、見切材１０の下端部に天井材７の各側端部に嵌合して固定される断面コ字状のリブ１０aが一体に形成されその上端部に目隠部材１１の下面に移動可能に当接して同目隠部材１１を水平に支持する爪部１０ｂが一体に形成されている。
【０００４】
他方、目隠部材１１は、天井材７の左右両側に位置する側壁８にその基端部１１ｂをビス止め固定される。これらの各目隠部材１１は、左右の各側壁８に沿って延在する所定の長さと同側壁８と見切材１０の間の間隔（地震発生時における最大震度を考慮して定めた間隔）よりも大きい横幅を有する断面L字形状の合成樹脂製（或いはアルミニウム製）の長尺の平板部材である。また、目隠部材１１の先端に鉤部１１aが一体に形成されている。この鉤部１１aは、地震などの発生時に吊り天井２が横揺れして天井材７が側壁Wから離れる方向に動いたときいずれか一方の見切材１０の爪部２１ｂに係合する。
【先行技術文献】
【特許文献】
【０００５】
【特許文献１】特開２０１５−０３１０１４号公報
【特許文献２】特開２０１５−１０８２４９号公報
【発明の概要】
【発明が解決しようとする課題】
【０００６】
しかしながら、上述したような従来の吊り天井２及びその周辺構造にあっては、吊り天井２の支持固定が十分に安定して行えず、時には見切材１０と目隠部材１１とが外れたりして吊り天井２の一部が傾く虞があった。また、吊り天井２を改修して新しい天井材７を設置する場合などにおいては、躯体天井６から野縁３や野縁受け部材４及び天井材７を取り外すために大工事となるという不具合があった。
【０００７】
本発明は上述のような従来の課題に鑑みてなされたもので、その目的は、吊り天井の天井材の取り付け、取外しが簡単に行え、且つ吊り天井の天井材が取り付けられた後は天井材が確実に保持され得る吊り天井支持装置及びこれを用いた吊り天井を提供することである。
【課題を解決するための手段】
【０００８】
本発明は、上記目的を達成するため、建物の壁面及び/又は壁面とこれに取り付けられた後板とから成る壁面部分と、当該壁面部分の前方に配意される前板と、前記壁面部と前記前板との間に設置され吊り天井の天井材を保持する押え部材と、押え部材と前板との間に設置され押え部材を弾性力により壁面に押圧するばね部材と、押え部材とばね部材とを前板と壁面部分との間に組み付ける締結部材とからなる吊り天井支持装置を要旨とする。
【０００９】
上記吊り天井支持装置において、後板の前面には当該前面から前方へ延びる筒状でめねじを有する突起部が設けられ、後板と前板との間には前記押え部材とばね部材とが配置され、且つ前板の前側からねじ部材が挿通されて前記突起部のめねじに螺合され、押え部材とばね部材とが組み付けられる。
【００１０】
また、押え部材は全体として、幅方向の複数個所で折り曲げ加工されたアングル構造を有し、且つ横長の金属板材料から成り、上端部において略水平方向へ延びる上平面部と、上平面部の前端部において当該上平面部に対して略直角に下方へ延びる立面部と、立面部の下端部において当該立面部に対して略直角に前方へ延びる中間平面部と、中間平面部の前端部において当該中間平面部から後方へ且つ下方へ傾斜して延びる傾斜面部と、傾斜面部の下端部において当該傾斜面部から後方へ略水平に延びる下平面部とを有している。
【００１１】
さらに押え部材は、その厚さ寸法に関して上側端部から中間平面部の前端までの前行寸法よりも中間平面部の前端から下側端部までの後行寸法の方が小さい寸法に設定され、上側端部と下側端部とを壁面に当接させたとき、その立面部が前傾した姿勢を取るとともに、下側端部の壁面当接部分において壁面には、水平な壁面押し付け方向の外力と鉛直方向上向きの外力が作用することを要旨とする。
【発明の効果】
【００１２】
本発明は、吊り天井の取り付け、取外しが簡単な操作で行うことができ、また、吊り天井を取り付けた後は、その吊り天井の支持固定が確実に行われるとともに、容易に外れなくすることができる。さらに、吊り天井の支持固定時に、被支持物を下から支える作用（受け作用）を発揮し、吊り天井の支持効果をより一層増大させる。
【図面の簡単な説明】
【００１３】
【図１】本発明の一実施の形態に係る吊り天井支持装置を分解して示す正面図である。
【図２】上記実施の形態における後板の正面図である。
【図３】上記実施の形態における前板の正面図である。
【図４】上記実施の形態において前板と後板の間に押え部材及びバネ部材を組み付けた吊り天井支持装置アセンブリを、当該吊り天井支持装置アセンブリがフリーの状態（装填前の状態）で示す正面図である。
【図５】上記実施の形態において上記吊り天井支持装置アセンブリを、当該吊り天井支持装置アセンブリが建物の壁に取り付けられた状態（装填後の状態）で示す正面図である。
【図６】上記実施の形態における吊り天井支持装置アセンブリを、表面側（部屋の居住空間側）から見た斜視図である。
【図７】上記実施の形態における吊り天井支持装置アセンブリを、裏面側（壁面側）から見た斜視図である。
【図８】上記実施の形態において前板と後板の間に押え部材及びバネ部材を装着した吊り天井支持装置アセンブリを、この吊り天井支持装置アセンブリが建物の壁に取り付けられた状態（装填後の状態）で示す正面図である。
【図９】従来の吊り天井及びその支持装置を示す斜視図である。
【図１０】従来の吊り天井を取り付けるための支持装置を示す断面図である。
【発明を実施するための形態】
【００１４】
次に、図１から図８を用いて本発明の一実施の形態および動作を順次詳細に説明する。図１は上記実施の形態に係る吊り天井支持装置を分解して示す正面図である。図２は上記吊り天井支持装置に用いられる後板の正面図である。図３は上記吊り天井支持装置に用いられる前板の正面図である。
【００１５】
図１に示されるように吊り天井用支持装置（以下、単に「支持装置」という）は、建物の壁面などに取り付けられる後板２１と、後板２１の前方に配意される前板２２と、吊り天井の天井材を保持するための部材であり支持装置の主要部分を構成する押え部材２７と、押え部材２７を弾性力により壁面に押圧するばね部材２８と、押え部材２７とばね部材２８を前板２２と後板２１との間に組み付けるねじ部材２９とからなる。
【００１６】
後板２１は、横長の板部材からなり、建物の壁面などに固定取り付けされることにより壁面部分を構成し、吊り天井支持装置を支持する機能を持つ。後板２１には、図２に示されるように、複数のねじ通し孔２３と複数の突起部２４とが設けられている。複数のねじ通し孔２３と複数の突起部２４とは、それぞれが後板２１の長手方向へ所定の間隔を空けて設けられている。突起部２４は後板２１の表面に突出して設けられた円筒体から構成され、その円筒内部には突起部２４の長手方向に延びるネジ穴が形成され、そこにはめねじ２５が形成されている。前板２２もまた後板２１と同様、横長の板部材からなり、後板２１と共に押え部材２７を建物の壁面などに固定取り付けする機能を持つ。前板２２には、図３に示されるように、複数のねじ通し孔２６が設けられている。これらのねじ通し孔２６は、後板２１に設けられた突起部２４に位置合わせされるように突起部２４と同じピッチ間隔で設けられている。図１において後板２１と前板２２の相互間では、後板２１が左方、前板２２は右方位置に配置されているから、本明細書中では図１の左から右方向を「前方」とし、他の図においてもこれに準じた方向とする。
【００１７】
押え部材２７は、図１に断面構造が示される一方、図６及び図７に斜め方向からの図として示されている構造からも明らかになるように、全体としては、幅方向の複数個所で折り曲げ加工されたアングル構造を有し、且つ横長の金属板材料から成る。この押え部材２７は、折り曲げ加工されたことにより、上端部において略水平方向へ延びる上平面部２７ａと、上平面部２７ａの前端部において当該上平面部２７ａに対して略直角に下方へ延びる立面部２７ｂと、立面部２７ｂの下端部において当該立面部２７ｂに対して略直角に前方へ延びる中間平面部２７ｃと、中間平面部２７ｃの前端部において当該中間平面部２７ｃから後方へ且つ下方へ傾斜して延びる傾斜面部２７ｄと、傾斜面部２７ｄの下端部において当該傾斜面部２７ｄから後方へ略水平に延びる下平面部２７ｅとを有している。なお押え部材２７の部位の中で符号２７ｆは上側端部であり、２７ｇは下側端部である。押え部材２７の立面部２７ｂにはその中間部分に突起通し孔３３が貫通して形成されている。この突起通し孔３３は吊り天井支持装置を組み立てるときに後板２１の突起部２４が挿通されるものである。押え部材２７の構成の一具体例として各部位に寸法を当てはめると、上平面部２７ａの長さ寸法は２０ｍｍ（ミリメートル）、立面部２７ｂの長さ寸法は４０ｍｍ、中間平面部２７ｃの長さ寸法は２５ｍｍ、傾斜面部２７ｄの高さ寸法は４０ｍｍ、傾斜面部２７ｄの折返し寸法（横寸法）は２０ｍｍ、下平面部２７ｅの長さ寸法は１２ｍｍというように設定される。
【００１８】
以上の寸法設定により、当該具体例では押え部材２７の前後方向寸法（厚さ寸法とする）は、
上平面部長さ（２０ｍｍ）＋中間平面部長さ（２５ｍｍ）＝４５ｍｍ
であり、高さ寸法（幅寸法とする）は、
立面部寸法（４０ｍｍ）＋傾斜面部高さ寸法（４０ｍｍ）＝８０ｍｍ
であり、厚さの折返し寸法（後行寸法とする）は、
傾斜面部折返し寸法（２０ｍｍ）＋下平面部寸法は（１２ｍｍ）＝３２ｍｍ
であり、断面では厚さ、幅に関して上記の空間範囲を占める。なお、押え部材２７の長手方向寸法は室空間への天井材設置を考えて、１ｍ（メートル）或いはそれ以上の寸法に設定される。図４及び図５は本実施の形態による吊り天井支持装置アセンブリを示す。これらの図のうち、図４は本実施の形態において前板と後板の間に押え部材及びバネ部材を組み付けて成る吊り天井支持装置アセンブリを、当該支持装置アセンブリがフリーの状態（壁面３０に装填前の状態）で示す正面図である。他方、図５は本実施の形態において上記吊り天井支持装置アセンブリを、当該支持装置アセンブリが建物の壁面３０に取り付けられた状態（装填後の状態）で示す正面図である。
【００１９】
本実施の形態において重要な事柄は、図１、図４から分かるように、押え部材２７の厚さ寸法に関して上側端部２７ｆから中間平面部２７ｃの前端までの前行寸法（４５ｍｍ）よりも中間平面部２７ｃの前端から下側端部２７ｇまでの後行寸法（３２ｍｍ）の方が小さいことである。このため、吊り天井支持装置を建物の壁面３０（通常は垂直方向へ延びている）に取り付ける場合、押え部材２７は上側端部２７ｆよりも下側端部２７ｇの方が壁面３０に向けてより一層移動せしめられるため、その立面部２７ｂが前傾した姿勢、より具体的には立面部２７ｂが垂直方向上部から下部にかけて壁面３０に漸次近づくように傾斜した姿勢を取る（図５参照）。図４は吊り天井支持装置アセンブリがフリーの状態を示すから、立面部２７ｂは前傾した姿勢をとらず、直立姿勢で示されている。
【００２０】
ばね部材２８は圧縮バネとしての機能を有するコイル構造に成形されており、高力スプリングが使用される。このばね部材２８は、吊り天井支持装置の組み立て時に、押え部材２７の立面部２７ｂとその前方に配置される前板２２との間に装填される。またばね部材２８は、吊り天井支持装置の組み立て時に、押え部材２７の立面部２７ｂの後方から突起通し孔３３を通して突出した後板２１の突起部２４をコイル内部に受け入れる。また、ねじ部材２９は前板２２の前側からねじ通し孔２６に挿通され、ばね部材２８のコイル内部において上記突起部２４に形成されためねじ２６に螺合される。これにより、押え部材２７とばね部材２８とは前板２２と後板２１との間にねじ部材２９により組み付けられる。なお、吊り天井支持装置を壁面３０取り付けるに際しては、押え部材２７の下平面部２７の部分において当該押え部材２７と壁面３０との間の閉鎖空間に天井材支持棒３１が設置される。この天井材支持棒３１は金属製（例えばアルミニウム）の丸棒或いは筒状棒から成り、その外周に天井材３２の端部が巻き付け固定される。
【００２１】
図６と図７は本実施の形態における吊り天井支持装置アセンブリの斜視図であり、図６は本実施の形態における吊り天井支持装置アセンブリを前側（部屋の居住空間側）から見た斜視図である。また、図７は本実施の形態における吊り天井支持装置アセンブリを裏面側（壁面３０側）から見た斜視図である。図６において、後板２１は押え部材２７の左縁部よりもさらに左方へはみ出して描かれているが、これは後板２１に形成されたねじ通し孔２３の位置、およびこのねじ通し孔２３と後板２１を壁面３０に取り付けるための取付ねじ３３との関係を説明するためのもので、実際は前板２２と略同じ長さ寸法を持つ。
【００２２】
以上のような構成を有する吊り天井支持装置を壁面に取り付ける方法、手順について説明する。図８は吊り天井支持装置が取り付けられる部屋の平面図である吊り天井支持装置はこの部屋の内側周囲４縁部の壁面３０に取り付けられる。取り付けに当たっては、まず、後板２１が壁面３０に取付ねじ３３により取り付け固定され、吊り天井支持装置の土台となる。後板２１が取り付けられた状態で、突起部２４は後板２１の表面において前方に突出した状態となる。次に、押え部材２７を、突起通し孔３３に突起部２４を通しながら壁面３０に当て、さらにばね部材２８を、突起部２４を収容するように装填するとともに、ばね部材２８の前側に前板２２を設置する。次にねじ部材２９を、前板２２の前側からねじ通し孔２６に挿通し、ばね部材２８のコイル内部において上記突起部２４に形成されためねじ２６に螺合させる。これにより、押え部材２７とばね部材２８とは、ばね部材２８が圧縮された状態で前板２２と後板２１との間にねじ部材２９により組み付けられる。このとき、ばね部材２８には高力スプリングが用いられているから、押え部材２７は、その上側端部２７ｆと下側端部２７ｇとを壁面３０に当接させた状態でばね部材２８の圧縮変形によるばね力を受け、壁面３０に確実に押し付け固定される。
【００２３】
また上述のように、図１、図４に示された直立姿勢の押え部材２７で見て、押え部材２７の厚さ寸法に関して上側端部２７ｆから中間平面部２７ｃの前端までの前行寸法よりも中間平面部２７ｃの前端から下側端部２７ｇまでの後行寸法の方が小さい。このため、吊り天井支持装置を建物の壁面３０に取り付けた場合、押え部材２７は上側端部２７ｆよりも下側端部２７ｇの方が壁面３０に向けてより一層長い距離だけ移動せしめられるため、その立面部２７ｂが前傾した姿勢を取る（図５参照）。このことは、押え部材２７の下平面部２７ｅについてみれば水平方向（つまり、壁面３０に対して垂直の方）へ延びず、水平方向に対して所定の角度θだけ下側端部２７ｇから右下向きに延びることになり、ばね部材２８及びねじ部材２９による締め付け作用により下側端部２７ｇの当接部分において壁面には、図５に示される矢印Ｆの方向へ外力（押し付け力）が加わる。外力ＦはＸ方向（水平方向壁面押し付け）成分Ｆ１とＹ方向（鉛直方向上向き）成分Ｆ２を有するから、押え部材２７は外力のＹ方向成分Ｆ２により被支持物、すなわち、天井材支持棒３１や天井材を下から支える作用（受け作用）を発揮し、吊り天井の支持効果をより一層増大させる。
【００２４】
なお、上でも述べた通り、吊り天井支持装置を壁面３０に取り付けるに際しては、押え部材２７の下平面部２７ｅの部分において当該押え部材２７と壁面３０との間に天井材支持棒３１が収容される形で設置されるが、押え部材２７がばね部材２８のばね力により、壁面３０に確実に押し付け固定されているから、天井材支持棒３１も確実に支持されている。そして、天井材支持棒３１には外周に天井材３２の端部が巻き付け固定されおり、天井材３２自体は押え部材２７の下側端部２７ｇと壁面との間の隙間を通って部屋空間１へ延びている。以上から、部屋空間１内に天井材３２が確実に取り付けられる。また、吊り天井を取り外すときはねじ部材２９を緩めることにより押え部材２７の取り付けを解除することができるので、取外し操作が簡単な操作で行うことができる。よって、吊り天井を取り付けた後は、その吊り天井の支持固定が確実に行われ、容易に外れなくすることができる一方で、吊り天井の取り付け、取外しが簡単に行うことができるというように、両態様に対応することができる。
【産業上の利用可能性】
【００２５】
本発明による吊り天井支持装置によれば、吊り天井を取り付けた後は、その吊り天井の支持固定が確実に行われ、容易に外れなくすることができる一方で、吊り天井の取り付け、取外しが簡単に行うことができるというように、両態様に対応することができ有用である。
【符号の説明】
【００２６】
２１  後板
２２  前板
２７  押え部材
２８  ばね部材
２９  ねじ部材
３０  壁面
３１  天井材支持棒
３２  天井材
３３  取付ねじ
【図１】
2018141322.tif 000003
【図２】
2018141322.tif 000004
【図３】
2018141322.tif 000005
【図４】
2018141322.tif 000006
【図５】
2018141322.tif 000007
【図６】
2018141322.tif 000008
【図７】
2018141322.tif 000009
【図８】
2018141322.tif 000010
【図９】
2018141322.tif 000011
【図１０】
2018141322.tif 000012